(57)【要約】【課題】注文者が画像形成の注文を、簡易かつ正確に行うことの可能な、画像形成装置、及び画像形成システムを提供する。【解決手段】判断部３４は、記録媒体読取部３２で読み取られた画像元特定情報の中から、写真プリント読取部３０で読み取られた画像特定情報と関連付けられた画像元特定情報を検出する。また、判断部３４は、入力部２２からプリント枚数、プリントサイズなど、各種の指示を受け取り、受け取った指示に基づいて、印刷料金の計算をして印刷料金をモニタ１２へ出力すると共に、印刷部３６へ、検出した画像元特定情報の付された画像元情報に基づいて印刷するように印刷指示を行う。【選択図】　図２
2004114490.tif 000002
【特許請求の範囲】
【請求項１】
画像、及び、この画像を特定するためにこの画像にユニークに付される画像特定情報の記録された写真プリントから、画像特定情報を読み取る読取り手段と、
前記画像の画像の元となる画像元情報、及び、この画像元情報を特定するためにこの画像元情報にユニークに付される画像元特定情報の記録された画像記録媒体から、前記読取り手段により読み取られた画像特定情報と関連付けられた画像元特定情報を検出する検出手段と、
前記検出手段により検出された画像元特定情報の付された画像元情報に基づいて画像を形成する画像形成手段と、
を備えた画像形成装置。
【請求項２】
前記検出手段により検出された画像元特定情報の付された画像元情報に基づいて画像を表示する表示手段、を更に備えたことを特徴とする請求項１に記載の画像形成装置。
【請求項３】
前記画像記録媒体を保管する保管手段をさらに備えたことを特徴とする、請求項１又は請求項２に記載の画像形成装置。
【請求項４】
画像、この画像の画像形成の元となる画像元情報の保管先情報、及び、この画像を特定するためにこの画像にユニークに付される画像特定情報の記録された写真プリントから、保管先情報及び画像特定情報を読み取る読取り手段と、
前記読取り手段により読み取られた保管先情報に基づいて対応する保管先へ前記読取り手段により読み取られた画像特定情報を送信する送信手段と、
を含む受付装置と、
前記画像元情報、及び、この画像元情報を特定するためにこの画像元情報にユニークに付される画像元特定情報の記録された画像記録媒体を保管する保管手段と、
前記送信手段により送信された画像特定情報を受信する受信手段と、
前記保管手段により保管される画像記録媒体から、前記受信手段により受信された画像特定情報と関連付けられた画像元特定情報を検出する検出手段と、
前記検出手段により検出された画像元特定情報の付された画像元情報に基づいて画像を形成する画像形成手段と、
を含む画像形成装置と、
を備えた画像形成システム。
【請求項５】
前記画像形成装置は、前記検出手段により検出された画像元情報の付された画像情報に基づいて画像を表示する表示手段、をさらに備えたことを特徴とする請求項４に記載の画像形成システム。
【発明の詳細な説明】
【０００１】
【発明の属する技術分野】
本発明は、画像形成装置、及び画像形成システムに係り、特に、画像記録媒体に記録された画像元情報に基づいて画像を形成する画像形成装置、及び画像形成システムに関する。
【０００２】
【従来の技術】
従来より、銀塩カメラで撮影した写真を焼き増しする場合には、所定の袋に収納された画像記録媒体としての写真フィルムを写真店に持参し、この袋の焼き増しを希望する画像コマに対応する位置に、焼き増し数を記入して注文するのが一般的である。
【０００３】
しかしながら、袋に正しく写真フィルムが収納されていない場合には、誤って異なる画像コマを指定してしまう恐れがある。また、写真フィルムに記録された画像は、写真プリントされている画像と比較して見づらく、注文者は、所望の画像であるかどうかを確認し辛かった。
【０００４】
また、デジタルカメラで撮影した写真のプリントを注文する場合には、画像の記録されたメディアを写真店に持参し、このメディアに記録された画像の画像番号で焼き増しする画像を特定し、プリントを希望する画像の画像番号、及び焼き増し数を所定の用紙に記入して注文するのが一般的である。
【０００５】
しかしながら、メディアの外側からはメディアに記録された画像と画像番号の対応関係を確認することはできないので、一旦ディスプレイに表示したり、印刷したりすることにより確認して、画像番号を申込用紙に記入しなければならず、面倒であった。
【０００６】
なお、特許文献１には、撮影条件などの情報を印画紙に記録する技術が記載されているが、この印画紙を利用した焼き増し注文についての記載はなされていない。
【０００７】
【特許文献１】
特開平５−３４８６３号公報
【０００８】
【発明が解決しようとする課題】
本発明は、上記事実を考慮して成されたものであり、注文者が画像形成の注文を、簡易かつ正確に行うことの可能な、画像形成装置、及び画像形成システムを提供することを目的とする。
【０００９】
【課題を解決するための手段】
上記目的を達成するために、本発明の画像形成装置は、画像、及び、この画像を特定するためにこの画像にユニークに付される画像特定情報の記録された写真プリントから、前記画像特定情報を読み取る読取り手段と、前記画像の画像形成の元となる画像元情報、及び、この画像元情報を特定するためにこの画像元情報にユニークに付される画像元特定情報の記録された画像記録媒体の中から、前記読取り手段により読み取られた画像特定情報と関連付けられた画像元特定情報を検出する検出手段と、前記検出手段により検出された画像元特定情報情の付された画像元情報に基づいて画像を形成する画像形成手段と、を含んで構成されている。
【００１０】
ここで、画像元情報とは、画像形成の際に用いられる原画や元データを意味し、例えば、写真フィルムに画像コマとして記録されるネガ像やポジ像、デジタルデータとして記録される画像データなどを示す。
【００１１】
上記構成では、読取り手段により、写真プリントから画像特定情報が読み取られ、検出手段により、画像特定情報と関連付けられた画像元特定情報が、画像記録媒体の中から検出される。ここでの画像特定情報と画像元特定情報との関連付けは、記録媒体に記録された画像元情報から形成される画像と写真プリントに記録された画像との対応関係によって関連付けられる。そして、画像形成手段により、検出された画像元特定情報の付された画像元情報に基づいて画像が形成される。すなわち、写真プリントから画像特定情報及び画像元特定情報を介して、画像元情報が自動的に検出されて、画像が形成される。したがって、注文者は、写真プリントを用いて画像形成の注文ができるので、簡易、かつ正確に画像形成の注文を行うことができる。
【００１２】
また、本発明の画像形成装置は、請求項２に記載のように、前記検出手段により検出された画像元特定情報の付された画像元情報に基づいて画像を表示する表示手段、を更に備えたことを特徴とすることもできる。
【００１３】
このように、表示手段へ、画像元情報に基づいた画像が表示されることにより、注文者は、注文時に画像形成される予定の画像を見て確認することができ、より正確に画像形成を注文することができる。
【００１４】
また、本発明の画像形成装置は、請求項３に記載のように、画像記録媒体を保管する保管手段をさらに備えたことを特徴とすることもできる。このように、画像記録媒体が保管手段により保管されることにより、注文者は、画像記録媒体を保管する必要がなくなり、利便性が向上する。
【００１５】
本発明の画像形成システムは、画像、この画像の画像形成の元となる画像元情報の保管先情報、及び、この画像を特定するためにこの画像にユニークに付される画像特定情報の記録された写真プリントから、保管先情報及び画像特定情報を読み取る読取り手段と、前記読取り手段により読み取られた保管先情報に基づいて対応する保管先へ前記読取り手段により読み取られた画像特定情報を送信する送信手段と、を含む受付装置と、前記画像元情報、及び、この画像元情報を特定するためにこの画像元情報にユニークに付される画像元特定情報の記録された画像記録媒体を保管する保管手段と、前記送信手段により送信された画像特定情報を受信する受信手段と、前記受信手段により受信された画像特定情報と関連付けられた画像元特定情報を検出する検出手段と、前記検出手段により検出された画像元特定情報の付された画像元情報に基づいて画像を形成する画像形成手段と、を含む画像形成装置と、を備える。
【００１６】
上記構成によれば、受付装置では、読取り手段により、写真プリントから保管先情報及び画像特定情報が読み取られ、送信手段により、読み取られた保管先情報に基づいて対応する保管先へ画像特定情報が送信される。
【００１７】
一方、画像形成装置では、受信手段により画像特定情報が受信される。その後、検出手段により、保管手段で保管される画像記録媒体の中から受信された画像特定情報と関連付けられた画像元特定情報が検出される。そして、画像形成手段により、検出された画像元特定情報の付された画像元情報に基づいて画像が形成される。
【００１８】
上記構成によれば、注文者は、写真プリントを用いて画像形成の注文ができるので、簡易、かつ正確に画像形成の注文を行うことができる。また、記録媒体は保管手段により保管されるので、注文者は、画像記録媒体を保管する必要がなく、利便性が向上する。
【００１９】
また、前記画像形成装置は、請求項５に記載のように、前記検出手段により検出された画像元情報の付された画像情報に基づいて画像を表示する表示手段、をさらに備えたことを特徴とすることもできる。
【００２０】
このように、表示手段に、画像元情報に基づいた画像が表示されることにより、注文者は、注文時に画像形成される予定の画像を見て確認することができ、より正確に画像形成を注文することができる。
【００２１】
【発明の実施形態】
以下、図面を参照して本発明の実施の形態について説明する。
［第１実施形態］
本実施形態の画像形成装置としての写真プリント装置１０は、図１に示すように、前面にモニタ１２、写真プリント投入口１４Ａ、写真プリント返却口１４Ｂ、３５ｍｍフィルム投入口１６Ａ、３５ｍｍフィルム返却口１６Ｂ、ＡＰＳフィルム投入口１８Ａ、ＡＰＳフィルム返却口１８Ｂ、メディア投入口２０Ａ、メディア返却口２０Ｂ、入力部２２、代金投入口２４、及び写真プリント取出口２６を備える。
【００２２】
モニタ１２には、注文する画像やその他の指示などが表示可能とされている。写真プリント投入口１４Ａからは、後述する注文用写真プリント４０が投入可能とされており、写真プリント返却口１４Ｂからは、投入された注文用写真プリント４０が返却可能とされている。３５ｍｍフィルム投入口１６Ａからは、後述する３５ｍｍフィルム５０が投入可能とされており、３５ｍｍフィルム返却口１６Ｂからは、投入された３５ｍｍフィルム５０が返却可能とされている。ＡＰＳフィルム投入口１８Ａからは、後述するＡＰＳフィルム５４が投入可能とされており、ＡＰＳフィルム返却口１８Ｂからは、投入されたＡＰＳフィルム５４が返却可能とされている。メディア投入口２０Ａからは、後述するメディア６０が投入可能とされており、メディア返却口２０Ｂからは、投入されたメディア６０が返却可能とされている。
【００２３】
入力部２２は、印刷指示ボタン２２Ａその他の入力キーを備え、注文者により入力キーから、枚数指定、サイズ指定など各種の指示が行われる。代金投入口２４からは、代金の投入が可能とされており、写真プリント取出口からは、新たにプリントされた写真プリントが取出し可能とされている。
【００２４】
図２は、写真プリント装置１０の内部を概念的に示すブロック図である。図２に示すように、写真プリント装置１０の内部には、写真プリント読取部３０、記録媒体読取部３２、判断部３４、及び印刷部３６が含まれている。
【００２５】
写真プリント読取部３０は、写真プリント投入口１４Ａから投入された写真プリントの後述する画像番号の読取りが可能とされている。記録媒体読取部３２は、３５ｍｍフィルム、ＡＰＳフィルムからの画像コマ及び後述する画像元特定情報の読取り、メディアからの画像データ及び画像元特定情報の読み取りが可能とされている。
【００２６】
判断部３４は、記録媒体読取部３２で読み取られた画像元特定情報の中から、写真プリント読取部３０で読み取られた画像特定情報と関連付けられた画像元特定情報を検出可能とされている。また、判断部３４は、入力部２２からプリント枚数、プリントサイズなど、各種の指示を受け取り、受け取った指示に基づいて、印刷料金の計算をして印刷料金をモニタ１２へ出力すると共に、印刷部３６へ印刷指示を行うことが可能とされている。
【００２７】
印刷部３６では、判断部３４により検出された画像元特定情報の付された画像元情報に基づいて、写真プリントの印刷が可能とされている。
【００２８】
写真プリント読取部３０は、判断部３４と接続され、記録媒体読取部３２は、判断部３４と接続されている。判断部３４は、モニタ１２、印刷部３６及び入力部２２と接続されている。
【００２９】
注文用写真プリント４０は、図３に示すように、表側４０Ａに画像印刷が施され、裏側４０Ｂに磁気記録層４２を備える。磁気記録層４２には、所定のフォーマットで、各種の情報が記録されている。記録される情報は、撮影日時、画像特定情報としての画像番号、写真プリント検索用の分類番号、写真プリント所有者の住所、電話番号、及び氏名、撮影時の露光状態や色温度などの印刷時に画像処理の基礎となる画像処理情報、などである。
【００３０】
なお、上記の情報の内、本発明の実施に必須のものは、画像番号である。この画像番号は、個々の注文用写真プリント４０に印刷されている画像を特定するために、１つの画像に対して１つ固有に付される番号である。他の情報については、本発明の実施に必ずしも必要ではないが、例えば、撮影時の露光状態や色温度などの印刷時に画像処理の基礎となる画像処理情報が記録されていれば、注文用写真プリント４０に印刷されている画像と注文により印刷される写真プリントとの色合いなどを同じにすることができる等の、種々の効果を得ることができる。
【００３１】
なお、本実施形態では、各種の情報を、磁気記録層４２を利用して注文用写真プリント４０に記録しているが、ＩＣメモリ、メモリチップ、無線タグなどを利用して記録することもでき、印画紙に文字、バーコードを直接記録することもできる。
【００３２】
図４（Ａ）に示すように、３５ｍｍフィルム５０には、画像元情報としての画像コマ５２が記録されている。画像コマ５２の各々のコマ外の下側には、画像元特定情報としてのコマ番号が付されている。このコマ番号は、個々の画像コマを特定するために、１つの画像コマに対して１つ固有に付される番号であり、同一の画像の記録された注文用写真プリント４０に付される画像番号と関連付けられている。なお、本実施形態では、同一の画像に対応する画像番号とコマ番号とは１対１に対応し、同一の番号が採用されている。
【００３３】
上記の３５ｍｍフィルム５０は、普段は注文者の手元に保管されている。
【００３４】
次に、本実施形態の作用について説明する。
【００３５】
図１に示すように、注文者が、注文用写真プリント４０（図３参照）を、写真プリント投入口１４Ａから投入すると、図２に示す写真プリント読取部３０により、投入された注文用写真プリント４０の画像番号（本実施形態では「００２」）が読み取られ、写真プリント読取部３０により、この画像番号が判断部３４へ出力される。判断部３４では、この画像番号を受信して、判断部３４内部の図示しないメモリに記憶する。
【００３６】
また、注文者が、３５ｍｍフィルム５０を、３５ｍｍフィルム投入口１６Ａから投入すると、図示しないセンサから判断部３４にスタート信号が送信され、判断部３４では、図５に示す第１検出処理が行われる。
【００３７】
ステップＳ１０で、記録媒体読取部３２へ最初のコマ番号（本実施形態では、左端の画像コマ）に付されたコマ番号（本実施形態では「００１」）を読み取るように指示する。記録媒体読取部３２では、この指示により、投入された３５ｍｍフィルム５０の、最初の画像コマ５２を読み取り、判断部３４へ読み取ったコマ番号を出力する。判断部３４では、ステップＳ１２で、記録媒体読取部３２からコマ番号の入力があるまで待機し、コマ番号の入力がなされると、ステップＳ１４で、このコマ番号が、記憶されている画像番号と同一かどうかを判断する。判断が否定された場合には、ステップＳ１６で、記録媒体読取部３２へ次の画像コマ５２（本実施形態では、前に読出された画像コマの右隣の画像コマ）に付されたコマ番号（本実施形態では「００２」）を読み取るように指示し、ステップＳ１２以下の処理を繰り返す。判断が肯定された場合には、ステップＳ１８で、記録媒体読取部３２へ、当該コマ番号の付された画像コマを読み取るように指示する。記録媒体読取部３２では、判断部３４からの指示により画像コマを読み取ってその画像データを判断部３４へ出力する。判断部３４では、ステップＳ２０で、記録媒体読取部３２から画像データが入力されるまで待機し、ステップＳ２２で、この画像データを、モニタ１２へ出力して本処理を終了する。モニタ１２では、この画像データが受け取られ、この画像データに基づいて画像が表示される。
【００３８】
この第１検出処理により、注文用写真プリント４０に印刷されている画像と同一画像を印刷可能な画像コマ５２に付されたコマ番号が検出される。したがって、注文用写真プリント４０を用いて、３５ｍｍフィルム５０に記録された画像コマ５２の中から自動的に注文したい画像に対応する画像コマ５２を検出することができる。
【００３９】
また、モニタ１２では、検出された画像コマ５２に基づく画像が表示されるので、注文者は、モニタ１２に表示された画像で、注文したい画像と実際に印刷される画像とが一致しているかどうかを確認することができる。
【００４０】
注文者は、モニタ１２に表示された画像を確認後、入力部２２から入力キーを使用してプリント枚数、及びプリントサイズを入力する。入力されたプリント枚数、及びプリントサイズは、判断部３４へ入力される。その後、注文者は、印刷指示ボタン２２Ａを押して印刷指示を行う。
【００４１】
判断部では、図６に示す第１印刷処理が行われる。
【００４２】
ステップＳ３０で、印刷指示ボタン２２Ａが押されるまで待機し、印刷指示ボタン２２Ａが押されると、ステップＳ３２で、入力されたプリント枚数、プリントサイズに基づいて、印刷料金を計算し、ステップＳ３４で、計算した結果の印刷料金をモニタ１２へ出力する。モニタ１２には、印刷料金が表示される。判断部３４では、ステップＳ３６で、印刷料金が投入されるまで待機する。注文者により表示された印刷料金が代金投入口２４から投入されると、ステップＳ３８で、印刷部３６へ印刷指示を行って、本処理を終了する。
【００４３】
印刷部３６では、検出されたコマ番号の付された画像コマ５２、注文用写真プリント４０に記録された画像処理情報（撮影時の露光状態や色温度などの印刷時に画像処理の基礎となる情報）に基づいて、印刷が行われる。そして、印刷された写真プリントは、写真プリント取出口２６へ供給され、注文者により受け取られる。
【００４４】
その後、注文用写真プリント４０は、写真プリント返却口１４Ｂへ返却され、３５ｍｍフィルムは、３５ｍｍフィルム返却口１６Ｂへ返却されて、注文者に返却される。
【００４５】
本実施形態によれば、注文用写真プリント４０を用いて、写真プリントの印刷注文を行うことができるので、注文者は、写真フィルムを用いて画像コマを指定する必要がなく、簡易かつ確実に写真プリントの印刷注文を行うことができる。
【００４６】
また、モニタ１２に、印刷される画像が表示されるので、注文者は、印刷したい画像と実際に印刷される画像とが一致しているかどうかを確認することができ、より確実に写真プリントの印刷注文を行うことができる。
【００４７】
また、注文用写真プリント４０に記録されている画像処理情報に基づいて印刷を行うので、色合い等を注文用写真プリント４０の印刷と合わせることができ、適切な仕上がりとすることができる。
【００４８】
なお、上記では、３５ｍｍフィルム５０からの写真プリントの印刷をする場合について説明したが、ＡＰＳフィルムについても、同様にして行われる。
【００４９】
図４（Ｂ）に示すように、ＡＰＳフィルム５４にも、画像元情報としての画像コマ５６が記録され、画像コマ５６の各々の枠外の下側には、画像元特定情報としてのコマ番号が付されている。このコマ番号と画像番号との関係も、３５ｍｍフィルム５０と同様である。
【００５０】
ただし、ＡＰＳフィルム５４は、ＡＰＳフィルム投入口１８Ａから投入され、ＡＰＳフィルム返却口１８Ｂから返却される点が異なる。
【００５１】
また、画像元情報がメディアに記録されている場合については、以下とおりである。
【００５２】
図４（Ｃ）に示すように、メディア６０には、画像ファイル６０Ａが記録されている。画像ファイル６０Ａには、画像元情報としての画像データ、画像元特定情報としての画像ＩＤ、及びヘッダー情報が含まれている。画像ＩＤは、記録された画像データを特定するために、１フレームの画像データに対して１つ固有に付され、同一の画像の記録された注文用写真プリント４０に付される画像番号と関連付けられている。そして、本実施形態では、同一の画像に対応する画像番号と画像ＩＤとは同一の番号を採用している。メディア６０は、具体的には、ＣＤ−ＲＯＭ、ＳＲ−ＲＡＭ、スマートメディア、メモリスティックなどが対象となる。
【００５３】
次に、メディア６０からの写真プリントの印刷について説明する。上記の３５ｍｍフィルム５０の場合と同様の部分については、詳細な説明を省略する。
【００５４】
注文者により、注文用写真プリント４０が、写真プリント投入口１４Ａから投入された後、投入された注文用写真プリント４０の画像番号が、判断部３４内部の図示しないメモリに記憶される作用については、上記と同様である。
【００５５】
注文者が、メディア６０を、メディア投入口２０Ａから投入すると、図示しないセンサから判断部３４にスタート信号が送信され、判断部３４では、図７に示す第２検出処理が行われる。
【００５６】
ステップＳ４０で、記録媒体読取部３２へ最初の画像ファイル６０Ａに記録された画像データ付された画像ＩＤを読み取るように指示する。記録媒体読取部３２では、この指示により、投入されたメディア６０の、最初の画像ファイルに付された画像ＩＤ（ここでは「００１」）を読み取り、判断部３４へ読み取った画像ＩＤを出力する。判断部３４では、ステップＳ４２で、記録媒体読取部３２から画像ＩＤの入力があるまで待機し、画像ＩＤの入力がなされると、ステップＳ４４で、この画像ＩＤが、記憶されている画像番号と同一かどうかを判断する。判断が否定された場合には、ステップＳ４６で、記録媒体読取部３２へ次の画像データに付された画像ＩＤ（ここでは「００２」）を読み取るように指示し、ステップＳ４２以下の処理を繰り返す。判断が肯定された場合には、ステップＳ４８で、記録媒体読取部３２へ、当該コマ番号の付された画像コマを読み取るように指示する。判断部３４では、ステップＳ５０で、画像コマを読み取った記録媒体読取部３２から画像データが入力されるまで待機し、ステップＳ５２で、この画像データを、モニタ１２へ出力して本処理を終了する。モニタ１２では、この画像データが受け取られ、この画像データに基づいて画像が表示される。
【００５７】
この第２検出処理により、注文用写真プリント４０に印刷されている画像と同一画像を印刷可能な画像データに付された画像ＩＤが検出される。したがって、注文用写真プリント４０を用いて、メディア６０に記録された画像データの中から自動的に注文したい画像に対応する画像データを検出することができる。
【００５８】
また、注文者は、モニタ１２に表示された画像で、注文したい画像と実際に印刷される画像とが一致しているかどうかを確認することができる。
【００５９】
その後の、注文者からの印刷指示、判断部３４での印刷処理、注文用写真プリント４０及びメディア６０の返却については、上記の３５ｍｍフィルムの場合と同様であるので、詳細な説明は省略する。
【００６０】
本実施形態によれば、メディア６０に記録された画像データに基づいて写真プリントの印刷を行う場合にも、注文用写真プリント４０を用いて、写真プリントの印刷注文を行うことができ、フィルムの場合と同様に、注文者は、写真フィルムを用いて画像コマを指定する必要がなく、簡易かつ確実に写真プリントの印刷注文を行うことができる。
【００６１】
［第２実施形態］
次に、第２実施形態について説明する。本実施形態では、第１実施形態と同様の部分については同一の符号を付し、詳細な説明は省略する。
【００６２】
本実施形態の画像形成システムとしての写真プリントシステム７０は、図８に示すように、複数の写真店に設置される写真プリント装置７２（以下設置される写真店毎の個別の写真プリント装置７２に「写真プリント装置７２Ａ、写真プリント装置７２Ｂ…」の個別の符号を付す）、及びネットワーク７４を含んで構成されている。本実施形態では、写真プリント装置７２は、受付装置及び画像形成装置を兼ねる。各々の写真プリント装置７２は、写真店毎にユニークに付される写真店ＩＤを各々有する。
【００６３】
写真プリント装置７２は、ネットワーク７４に接続され、ネットワーク７４を介して互いに他の写真プリント装置７２と接続されている。ネットワーク７４は、双方向通信が可能であればよく、例えば、インターネット、ＬＡＮ、ＷＡＮ等でもよいし、パソコン通信のように電話回線を利用してもよいし、ケーブルテレビ網を利用してもよいし、衛星通信等でもよい。以下では、一例として、ネットワーク７２にインターネットを使用した場合について説明する。
【００６４】
写真プリント装置７２の正面には、第１実施形態と同様の、モニタ１２、写真プリント投入口１４Ａ、写真プリント返却口１４Ｂ、入力部２２、代金投入口２４、及び写真プリント取出口２６が備えられている（図８参照）。
【００６５】
写真プリント装置７２の内部には、図９に示すように、写真プリント読取部３０、記録媒体読取部３２、判断部３４、印刷部３６、フィルム保管部８０、画像データ記録部８２、及び通信部８４が含まれている。写真プリント読取部３０、記録媒体読取部３２、判断部３４、及び印刷部３６については、第１実施形態と同様である。
【００６６】
フィルム保管部８０には、注文者の所有する３５ｍｍフィルム５０、ＡＰＳフィルム５４（図４（Ａ）（Ｂ）参照）が保管され、画像データ記録部８２には、画像ファイル６０Ａが記録されている。フィルム保管部８０は、判断部３４及び記録媒体読取部３２と接続されている。フィルム保管部８０は、判断部３４から、フィルムに記録された画像コマのコマ番号が入力されることにより、出力されたコマ番号を有するフィルムが記録媒体読取部３２で読み取られる状態になるようにセットすることが可能とされている。画像データ記録部８２は、判断部３４及び記録媒体読取部３２と各々接続されている。
【００６７】
通信部８４は、判断部３４からの信号をネットワーク７４を介して送信し、他の写真プリント装置７２からの信号をネットワーク７４を介して受信する。通信部８４は、判断部３４と接続されている。
【００６８】
図１０に示すように、注文用写真プリント８８は、第１実施形態の注文用写真プリント４０とほぼ同様であるが、磁気記録媒層４２には、さらに、フィルム又は画像データの保管されている写真店を特定するための写真店ＩＤ、及び対応する画像元情報がフィルムに記録された画像コマか、あるいは画像データかを判別するための判別情報が記録されている。
【００６９】
３５ｍｍフィルム５０、ＡＰＳフィルム５４は、及び画像ファイル６０Ａは、第１実施形態と各々同様である。
【００７０】
次に、本実施形態の作用について説明する。
【００７１】
注文者が、注文用写真プリント４０を、写真プリント装置７２Ａの写真プリント投入口１４Ａから投入すると、写真プリント読取部３０により、投入された注文用写真プリント４０の写真店ＩＤ（本実施形態では「Ｂ」）、画像番号、及び、判別情報が読み取られ、写真プリント読取部３０により、これらの情報が判断部３４へ出力される。
【００７２】
判断部３４では、図１１に示す第１受付処理が行われる。
【００７３】
ステップＳ７０で、入力された写真店ＩＤと受け付けた写真プリント装置７２の写真店ＩＤとが一致するかどうかを判断し、一致した場合には、ステップＳ７４で、判別情報がフィルムかどうか、即ち、画像元情報の記録媒体がフィルムかどうかを判断する。判断が肯定された場合には、ステップＳ７６で、フィルム保管部８０へ、画像番号を出力する。フィルム保管部８０では、入力された画像番号と同一番号のコマ番号の記録されたフィルムが記録媒体読取部３２により読み取られる状態になるようにセットし、セット完了の後、判断部３４へセット完了信号が出力される。判断部３４では、ステップＳ７８で、セット完了信号が入力されるまで待機し、入力されると、ステップＳ８０で、第１実施形態で説明した第１検出処理が行われ、本処理を終了する。
【００７４】
ステップＳ７４の判断が否定された場合には、ステップＳ８２で、画像データ記録部８２にアクセスし、ステップＳ８４で、第１実施形態で説明した第２検出処理が行われ、本処理を終了する。
【００７５】
そして、注文用写真プリント４０に記録された写真店ＩＤと受け付けた写真プリント装置７０の写真店ＩＤとが一致した場合には、第１実施形態と同様に、印刷処理が行われ、写真プリントが注文者により受け取られ、注文用写真プリント４０が返却される。
【００７６】
ステップＳ７０での判断が否定された場合、すなわち、注文用写真プリント４０に記録された写真店ＩＤと受け付けた写真プリント装置７０の写真店ＩＤとが一致しなかった場合には、ステップＳ７２で、入力された写真店ＩＤをもつ写真プリント装置７２へ、注文用写真プリント４０に記録されたすべての情報を送信して、本処理を終了する。ここでは、受け付けは写真店ＩＤがＡの写真プリント装置７０Ａで行われ、注文用写真プリント４０に記録されている写真店ＩＤがＢなので、写真店ＩＤがＢの写真プリント装置７０Ｂへ、注文用写真プリント４０に記録されたすべての情報が送信される。
【００７７】
写真プリント装置７２Ｂの通信部８４でこれらの情報が受信され、受信された情報が判断部３４へ出力される。判断部３４では、注文用写真プリント４０の情報を受信すると、図１２に示す第２受付処理が行われる。
【００７８】
ステップＳ９０で、判別情報がフィルム情報かどうか、即ち、画像元情報の記録媒体がフィルムかどうかを判断する。判断が肯定された場合には、ステップＳ９２で、フィルム保管部８０へ、画像番号を出力する。フィルム保管部８０では、入力された画像番号と同一番号のコマ番号の記録されたフィルムが記録媒体読取部３２により読み取られる状態になるようにセットし、セット完了の後、判断部３４へセット完了信号が出力される。判断部３４では、ステップＳ９４で、セット完了信号が入力されるまで待機し、入力されると、ステップＳ９６で、第１実施形態で説明した第１検出処理が行われ、本処理を終了する。
【００７９】
また、ステップＳ９０の判断が否定された場合には、ステップＳ９８で、画像データ記録部８２にアクセスし、ステップＳ１００で、第１実施形態で説明した第２検出処理が行われ、本処理を終了する。
【００８０】
なお、本実施形態では、ステップＳ２２、及び、ステップＳ５２で、画像データの出力される先は、受け付けた写真プリント装置７２Ａである。
【００８１】
写真プリント装置７２Ｂからの画像データを受信した写真プリント装置７２Ａでは、モニタ１２に、当該画像データに基づいて画像が表示される。
【００８２】
注文者は、モニタ１２に表示された画像を確認後、写真プリント装置７２Ａの入力部２２から入力キーを使用してプリント枚数、及びプリントサイズを入力する。入力されたプリント枚数、及びプリントサイズは、判断部３４へ一旦保存され、その後、注文者により印刷指示ボタン２２Ａから印刷指示が行われると、プリント枚数、及びプリントサイズが、写真プリント装置７２Ｂへ送信される。
【００８３】
写真プリント装置７２Ｂの通信部８４では、写真プリント装置７２Ａからの、プリント枚数、及びプリントサイズの情報が受信され、この情報を判断部３４へ出力する。判断部３４では、図１３に示す第２印刷処理が行われる。
【００８４】
ステップＳ１１０で、プリント枚数、及びプリントサイズの情報が入力されるまで待機し、入力されると、ステップＳ１１２で、印刷部３６へ印刷指示がなされて、本処理を終了する。
【００８５】
印刷部３６では、検出されたコマ番号の付された画像コマ５２、注文用写真プリント４０に記録された画像処理情報（撮影時の露光状態や色温度などの印刷時に画像処理の基礎となる情報）、または、画像ファイルに記録された情報に基づいて、印刷が行われる。印刷された写真プリントは、注文者の住所に郵送されるか、または、受け付けた写真店に郵送され、注文者に引き渡される。代金の徴収は、請求書にて所定の口座へ振り込むように依頼してもよいし、受け付けた写真店へ支払う方法でもよい。
【００８６】
本実施形態では、第１実施形態と同様の効果が得られると共に、フィルムや画像データが、写真プリント装置７２に保管されているので、注文者が誤ったフィルムやメディアで写真プリントの注文をすることがなく、より確実に注文をすることができる。また、注文者かフィルムや画像データを保管する必要がなく、利便性が向上する。
【００８７】
なお、本実施形態では、複数の写真プリント装置７２をネットワークを介して接続し、写真プリントシステム７０として構成したものについて説明したが、写真プリント装置７２は、単体で用いることもできる。
【００８８】
この場合には、当該写真プリント装置７２にフィルムや画像データが保管されている場合にのみ、この写真プリント装置７２を利用して写真プリントの印刷を行うことができる。
【００８９】
また、写真プリント装置７２に保管されているフィルムについて、一定期間写真プリントの注文がない場合には、在庫の増加防止のため、判断部３４で一定の期間毎に、図１４に示す、フィルム管理処理を行うことができる。
【００９０】
ステップＳ１２０で、当該フィルムに保存期間の起算日としての保存カウンタが既に設定されているかどうかを判断し、判断が否定された場合には、ステップＳ１２２で、本処理の実行日を保存期間の起算日としての保存カウンタを設定する。判断が肯定された場合には、ステップＳ１２４で、保存中のフィルムについての保存期間が、後述する保存カウンタ設定から一定期間経過したかどうかを判断する。判断が否定された場合には、本処理を終了する。判断が肯定された場合には、ステップＳ１２６で、保存カウンタ設定後に写真プリントの印刷注文があったかどうかを判断する。判断が肯定された場合には、ステップＳ１２８で、保存期間の起算日としての保存カウンタを設定して、ステップＳ１３０で、次のフィルムがあるかどうかを判断し、判断が肯定された場合には、ステップＳ１２０へ戻り、以下の処理を繰り返し、判断が否定された場合には、本処理を終了する。
【００９１】
ステップＳ１２６での判断が否定された場合には、フィルム保管部８０へ該当するフィルムを排出するように指示し、本処理を終了する。
【００９２】
フィルム保管部８０では、判断部３４からの指示に基づいて、該当するフィルムを排出する。当該フィルムは、注文者へ返却される。
【００９３】
また、上記実施形態では、写真店毎に顧客のフィルム、画像データを管理した例について説明したが、フィルムや画像データ保管専用のセンターを設け、ここで一括管理することもできる。
【００９４】
【発明の効果】
以上説明したように、本発明によれば、注文者は、写真プリントを用いて画像形成の注文ができるので、簡易、かつ正確に画像形成を注文することができる。
【図面の簡単な説明】
【図１】第１実施形態の写真プリント装置の正面概略図である。
【図２】第１実施形態の写真プリント装置の内部を概念的に示すブロック図である。
【図３】第１実施形態の注文用写真プリント（（Ａ）は表面、（Ｂ）は裏面）を示す図である。
【図４】（Ａ）は第１実施形態の３５ｍｍフィルム、（Ｂ）は第１実施形態のＡＰＳフィルム、（Ｃ）は第１実施形態のメディアを、各々示す概略図である。
【図５】第１検出処理のフローチャートである。
【図６】第１印刷処理のフローチャートである。
【図７】第２検出処理のフローチャートである。
【図８】第２実施形態の写真プリントシステムの概略図である。
【図９】第２実施形態の写真プリント装置の内部を概念的に示すブロック図である。
【図１０】第２実施形態の注文用写真プリント（（Ａ）は表面、（Ｂ）は裏面）を示す図である。
【図１１】第１受付処理のフローチャートである。
【図１２】第２受付処理のフローチャートである。
【図１３】第２印刷処理のフローチャートである。
【図１４】フィルム管理処理のフローチャートである。
【符号の説明】
１０　　写真プリント装置（画像形成装置）
１２　　モニタ（表示手段）
３０　　写真プリント読取部（読取り手段）
３２　　記録媒体読取部（検出手段）
３４　　判断部（検出手段）
３６　　印刷部（画像形成手段）
４０　　注文用写真プリント（写真プリント）
５０　　３５ｍｍフィルム（画像元情報）
５４　　ＡＰＳフィルム（画像元情報）
６０Ａ　画像データ（画像元情報）
７０　　写真プリントシステム（画像形成システム）
７２　　写真プリント装置（画像形成手段）
８０　　フィルム保管部（保管手段）
８２　　画像データ記録部（保管手段）
８４　　通信部（送信手段、受信手段）
【図１】
2004114490.tif 000003
【図２】
2004114490.tif 000004
【図３】
2004114490.tif 000005
【図４】
2004114490.tif 000006
【図５】
2004114490.tif 000007
【図６】
2004114490.tif 000008
【図７】
2004114490.tif 000009
【図８】
2004114490.tif 000010
【図９】
2004114490.tif 000011
【図１０】
2004114490.tif 000012
【図１１】
2004114490.tif 000013
【図１２】
2004114490.tif 000014
【図１３】
2004114490.tif 000015
【図１４】
2004114490.tif 000016